(57)【要約】【課題】上下方向の連結における利便性を損なうことなく簡便に利用者を標示板の下端縁から保護することができる標示板及び標示板の製造方法を提供する。【解決手段】標示片１Ｄの、下取付部を構成する下取付部３５及び３６を用いて利用者を標示板の下端縁から保護する保護部材２を標示片１Ｄの下端縁に係合して設けることができるので、標示片１Ｄの上下方向の連結における利便性を損なうことなく、簡便に利用者を標識板の下端縁から保護することができる。【選択図】        図４
2008291426.tif 000002
【特許請求の範囲】
【請求項１】
横長の標示片の上端縁及び下端縁の全幅に亘って、上取付部及び下取付部が設けられ、該上取付部と下取付部とが係合されて上下方向に複数段標示片が連結されて形成されたものであって、少なくとも前記下取付部に利用者を下端縁から保護する保護部材が、上取付部と同じ手段で係合されて取り付けられていることを特徴とする標示板。
【請求項２】
前記保護部材は、標示片の厚みと略同一の厚みとなされると共に、下面が前記厚みを直径とする断面円弧形状となされていることを特徴とする請求項１に記載の標示板。
【請求項３】
前記上取付部及び下取付部は、先端が鈎状に折れ曲がった鍵状部が間隔をおいて二体設けられ、二体の鍵状部が折れ曲がった方向は同一となされると共に、上取付部を形成する上鍵状部と、下取付部を形成する下鍵状部とは折れ曲がる方向が反対となされ、前記上鍵状部と下鍵状部とが嵌着可能となされると共に、前記上鍵状部間及び下鍵状部間に対し、上方から下鍵状部及び下方から上鍵状部が挿入可能となされていることを特徴とする請求項１又は２に記載の標示板。
【請求項４】
上端縁及び下端縁の全幅に亘って、上取付部及び下取付部が設けられた横長の標示片の、該上取付部と下取付部とを係合して上下方向に複数段標示片を連結して形成する製造方法であって、少なくとも前記下取付部に利用者を下端縁から保護する保護部材を、上取付部と同じ手段で係合して取り付けることを特徴とする標示板の製造方法。
【請求項５】
複数段連結した標示片の表面に、標示板の大きさに合わせて予め作成した一体の標示シートを、連結後の標示片に貼着して標示面を形成するようにすることを特徴とする請求項４に記載の標示板の製造方法。
【発明の詳細な説明】
【技術分野】
【０００１】
本発明は、道路標識やサイン等として好適に用いることができる標示板及び標示板の製造方法に関するものである。
【背景技術】
【０００２】
標示板は、様々な大きさのものが用いられるが、上下方向の大きさを可変可能とするために横長の標示片を上下方向に連結する標示板が用いられる場合がある。かかる標示板として、例えば基板が枠材を介して支持材に取り付けられてなり、前記基板上に、文字、記号、乃至図形を表示し視認させる標示板であって、前記基板は、その対向する２片の端部が略直角に折り曲げられ折曲面を形成してコの字状断面を呈し、各々の前記折曲面で前記枠材に固着されるとともに、前記枠材と支持材とが、前記枠材に備わる軌道部を自在に移動可能な結合部材により固着された標示板が開示されている（例えば特許文献１）。
【０００３】
また、一対の表面板間にコア材を介在してなるパネル同士を接合するパネルの接合方法において、上記パネルの縁部側に表面板間に連結用枠材を介在し、この連結用枠材の表面板側の外方面に係合凹所を設け、上記連結用枠材を適宜固定手段をもって連結した状態で、上記係合凹所に係合するカバー材によって上記連結部を被覆するようにしたパネルの接合構造が開示されている（例えば特許文献２）。
【０００４】
【特許文献１】特開２００４−３６１３５号公報
【特許文献２】特開平１１−３５９０２３号公報
【発明の開示】
【発明が解決しようとする課題】
【０００５】
しかしながら、昨今のバリアフリー化の促進に伴い、標示板は左右両側端のみならず、車椅子の利用者や幼児などが接近した場合を考慮して、利用者を下端縁からも保護する必要が生じてきている。特許文献１や特許文献２に開示されているような従来の標示板では、下端縁部分を利用者から保護するのに別途カバー等が必要となり、それらカバー等の取り付けに関わる作業が繁雑なものとなり、またカバー等自体や、その取付手段などによって美観が損なわれる恐れもあった。
【０００６】
本発明は上記の如き課題に鑑みてなされたものであり、上下方向の連結における利便性を損なうことなく簡便に利用者を標示板の下端縁から保護することができる標示板及び標示板の製造方法を提供せんとするものである。
【課題を解決するための手段】
【０００７】
上記目的を達成するため、本発明は以下のような構成としている。すなわち、本発明に係る標示板は、横長の標示片の上端縁及び下端縁の全幅に亘って、上取付部及び下取付部が設けられ、該上取付部と下取付部とが係合されて上下方向に複数段標示片が連結されて形成されたものであって、少なくとも前記下取付部に利用者を下端縁から保護する保護部材が、上取付部と同じ手段で係合されて取り付けられていることを特徴とするものである。
【０００８】
本発明に係る標示板によれば、標示片の下取付部を用いて利用者を標示板の下端縁から保護する保護部材を設けることができるので、標示片の上下方向の連結における利便性を損なうことなく、簡便に利用者を標識板の下端縁から保護することができる。
【０００９】
また前記保護部材は、標示片の厚みと略同一の厚みとなされると共に、下面が前記厚みを直径とする断面円弧形状となされていれば、標示片と保護部材との外面が連続して一体感が生じ、保護部材を取り付けたことによって美観が損なわれる恐れを小さいものとでき好ましい。
【００１０】
更にまた前記上取付部及び下取付部は、先端が鈎状に折れ曲がった鍵状部が間隔をおいて二体設けられ、二体の鍵状部が折れ曲がった方向は同一となされると共に、上取付部を形成する上鍵状部と、下取付部を形成する下鍵状部とは折れ曲がる方向が反対となされ、前記上鍵状部と下鍵状部とが嵌着可能となされると共に、前記上鍵状部間及び下鍵状部間に対し、上方から下鍵状部及び下方から上鍵状部が挿入可能となされていれば、標示片を連結するのに上方又は下方から複数の標示片を重ねてゆけばよく、連結に関わる作業を簡便なものとすることができ好ましい。
【００１１】
また本発明に係る標示板の製造方法は、上端縁及び下端縁の全幅に亘って、上取付部及び下取付部が設けられた横長の標示片の、該上取付部と下取付部とを係合して上下方向に複数段標示片を連結して形成する製造方法であって、少なくとも前記下取付部に利用者を下端縁から保護する保護部材を、上取付部と同じ手段で係合して取り付けることを特徴とするものである。
【００１２】
本発明に係る標示板の製造方法によれば、標示片の下取付部を用いて利用者を標示板の下端縁から保護する保護部材を設けることができるので、標示片の上下方向の連結における利便性を損なうことなく、簡便に利用者を下端縁から保護することができる標識板を得ることができる。
【００１３】
また複数段連結した標示片の表面に、標示板の大きさに合わせて予め作成した一体の標示シートを、連結後の標示片に貼着して標示面を形成するようにすれば、標示板の大きさに関わらず連結した標示片の境目部分が目立つことなく、一体感の高い標示板を得ることができ好ましい。
【発明の効果】
【００１４】
本発明に係る標示板によれば、標示片の下取付部を用いて利用者を標示板の下端縁から保護する保護部材を設けることができるので、標示片の上下方向の連結における利便性を損なうことなく、簡便に利用者を標識板の下端縁から保護することができる。
【００１５】
また本発明に係る標示板の製造方法によれば、標示片の下取付部を用いて利用者を標示板の下端縁から保護する保護部材を設けることができるので、標示片の上下方向の連結における利便性を損なうことなく、簡便に利用者を下端縁から保護することができる標識板を得ることができる。
【発明を実施するための最良の形態】
【００１６】
本発明に係る最良の実施の形態について、図面に基づき以下に具体的に説明する。
【００１７】
図１は、本発明に係る標示板の、実施の一形態を示すもので、（ａ）は標示板の正面図、（ｂ）は標示板の背面図である。標示板１０は、地表から立設された二体の支柱２０の前面側に取り付けられ、標示面Ｆにより利用者に情報を提供するものである。標示板１０は、四体の標示片１、上から１Ａ〜１Ｄが上下方向に連結されて形成され、下端及び上端の標示片１Ｄ及び１Ａの、下端縁及び上端縁には利用者を端縁から保護するための保護部材２Ａ及び２Ｂが取り付けられている。また上端の標示片１Ａ、下端の標示片１Ｄの背面側には、ボルト溝４が設けられ、ボルト溝４に挿入されたボルト・ナットにより、Ｕバンド５を用いて標示板１０が支柱２０に取り付けられている。
【００１８】
図２は、標示片１の詳細を示す縦断面図であり、（ａ）はボルト溝が設けられていない標示片、（ｂ）はボルト溝が設けられている標示片、（ｃ）は標示片の上下端に設けられた上取付部及び下取付部の詳細を示すものである。まず（ａ）において、標示片１は図１における中間部分の標示片１Ｂ及び１Ｃに用いられたものであり、アルミニウム合金の押出形材製で同一断面が連続して形成されているものである。標示片１は、２０ｍｍ程度の厚みを有する中空の本体１１の、上端に上取付部３１、下端に下取付部３２が一体に形成されている。次に（ｂ）において、標示片１の本体１１の、上下方向の中央付近に蟻溝状のボルト溝４が一体に設けられている。ボルト溝４は背面側に開口し、ボルトの頭部又はナットが挿入されて摺動自在となされるものであるが、標示片１が２０ｍｍ程度の厚みを有することで、前面及び背面のいずれについても形状を突出させることなくフラットな状態で設けられるようになされている。
【００１９】
更に（ｃ）において、本体１１の上端の上取付部３１には、先端が鈎状に折れ曲がった上鍵状部３３及び３４が間隔をおいて二体設けられ、下端の下取付部３２にも同じく二体の鍵状部３５及び３６が設けられている。上取付部３１における上鍵状部３３及び３４の折れ曲がる方向は同一となされ、また下取付部３２中における下鍵状部３５及び３６の折れ曲がる方向は同一となされているが、上鍵状部３３及び３４と、下鍵状部３５及び３６との折れ曲がる方向は反対となされて、上鍵状部３３及び３４と、下鍵状部３５及び３６とは嵌着可能となされている。また上鍵状部３３及び３４間の間隔Ｗ１は、下鍵状部３５及び３６の幅Ｗ２より大きくなされ、且つ下鍵状部３５及び３６間の間隔Ｗ３も上鍵状部３３及び３４の幅Ｗ４より大きくなされていることで、上方から下鍵状部３５及び３６が、下方から上鍵状部３３及び３４が挿入可能となされている。本実施形態においては、標示片１全体を１８０゜回転させた場合に同一の断面形状となる形状としており、かかる形状により部材の共通化を図るようにしている。
【００２０】
図３は、上取付部３１及び下取付部３２を用いた標示片１の連結を示す縦断面図である。標示片１Ａの下端に設けられた下取付部３２が、下方の標示片１Ｂの上端に設けられた上取付部３１に係合されるにおいて、（ａ）に示す如く上方から標示片１Ａを下方に移動させると共に、下鍵状部３５及び３６間に上鍵状部１３が、上鍵状部１２及び１３間に下鍵状部３６が挿入される。その状態で、（ｂ）に示す如く、上鍵状部１２及び１３と、下鍵状部３５及び３６とが嵌着する方向に標示片１Ａを移動させて係合させる。最後に、標示片１Ａ及び１Ｂの間の、上鍵状部１３と下鍵状部３６との間に生じた空間Ｓに楔６を挿入することで、標示片１Ａと標示片１Ｂとは係合が保持された状態で強固に連結されるようになされる。標示片１Ａ及び１Ｂの連結を解除する場合には、楔６を取り外すことで容易に係合を外して解除することができる。
【００２１】
かかる構造にて標示片１を連結して形成した標示板１０には、表面に標示片１間の隙間に由来するスリット状の横線が生じるが、予め標示板１０の標示面Ｆに合わせた大きさの標示シートを作成し、標示片１の連結後に標示シートを複数の標示片１に亘って貼着すれば、かかるスリット状の横線を標示シートにより隠蔽し、標示板１０としての一体感を高めるようにすることができる。
【００２２】
また、任意の大きさの標示板１０を得るに当たって、上下方向は標示片１を連結する数により設定することができ、左右方向については同一方向に連続して形成された形材を適宜裁断することで任意の大きさのものとすることができる。また標示片１については、上下方向に複数段積み重ねる形で連結するのに限定されず、左右方向に複数並べて連結して標示板１０を形成することもできる。
【００２３】
図４は、標示片１の下取付部を用いた保護部材２の取付を説明する縦断面図である。保護部材２は、中空で下面が半円状となされた本体２１の上面に取付部２２が設けられ、取付部２２は標示片１の上取付部３１と同様の形状となされたものであり、同じ方向に折れ曲がっている鍵状部２３及び２４が備えられている。この鍵状部２３及び２４についても、鍵状部２３及び２４間の間隔Ｗ５が標示片１Ｄの下取付部３２の下鍵状部３５の幅Ｗ２より大きくなされ、また鍵状部２４の幅についても、下鍵状部３５及び３６の間隔Ｗ３より小さくなされていることで、標示片１Ｄの下取付部３２に、利用者を下端縁から保護する保護部材２を標示片１の上取付部３１と同じ手段で係合されて取り付けることが可能となされている。また係合後も同様に楔６を嵌入することで、強固な連結状態とすることができる。
【００２４】
本実施形態において、保護部材２は本体２１の厚みが標示片１の厚みと略同一の２０ｍｍ程度の厚みとなされると共に、下面が厚みを直径とする断面円弧形状となされており、（ｂ）に示す如く標示片１に係合された状態で、標示片１と保護部材２との両側端がほぼ一致されるようになされており、かかる構造により標示片１と保護部材２との外面が連続して一体感が生じ、保護部材２を取り付けたことによって美観が損なわれる度合いが小さくなるようになされている。
【００２５】
保護部材２については、標示片１と同様にアルミニウム合金等の金属製の押出形材を用いれば、標示片１との連結部分が強靱なものとでき、構造的に堅牢なものとできる点で好ましい。また保護部材２を、図４に示したような取付部２２を備えさせた上で、軟質の合成樹脂や、弾性を有するゴム、エラストマー等を用いて形成すれば、保護部材２全体が弾性を有するものとなり、衝突時の衝撃を緩和するようにでき好ましい。
【００２６】
図５は、形成された標示板１０の、上下端付近の詳細を示す側面図である。標示板１０は、ボルト溝４に頭部が挿入されたボルトＢ１のねじ部がＵバンドに挿通され、ナットＮ１が螺着されて緊結されることで支柱２０に取り付けられている。また標示板１０は、標示片１を上下方向に複数段連結して形成されたものであるが、連結された標示片１と保護部材２との、上下方向の全体に亘って両側端面を保護するアルミニウム合金製の板状の保護プレート７が設けられている。保護プレート７は適宜の方法により標示片１の側端面に取り付けてよいが、本実施形態においては楔６に内側面にねじ山を形成したネジ孔（図示せず）を設けておき、保護プレート７に挿通させたボルトＢを当該ネジ孔に螺着することで標示片１に取り付けるようにしている。標示片１の両側端縁に保護プレート７を取り付けることで、鋭利と成りがちな標示片１の側端面から利用者を保護することができると共に、標示片１の厚み方向に延設された保護プレート７が標示片１の厚み方向の強度を向上させるようにでき、更に厚み方向に動揺する恐れのある標示片１同士の係合部分のズレの発生を抑止することもできる。
【００２７】
保護プレート７の形状は、アルミニウム合金製の板状体に限定されるものではなく、保護部材２と同様に断面形状を円弧状としたり、弾性部材により形成して衝突時の衝撃を緩和するようにしてもよい。
【００２８】
標示板１０を取り付ける対象としては、本実施形態に示した二体の支柱２０の前面側にＵバンドを用いて取り付けるものに限定されず、標示片１の厚み内に収められたボルト溝４を活用して適宜の方法にて対象に取り付けることが可能である。例えば、壁面に埋設したアンカーボルトにＬ字状やクランク状のアングルを用いて取り付けたり、壁面に埋設したアンカーナットに両ネジを用いて取り付けたり、直接更に電柱にバンドを用いて取り付けたりすることもできる。
【図面の簡単な説明】
【００２９】
【図１】本発明に係る標示板の、設置状態を示す正面図及び背面図である。
【図２】本発明に係る標示板を形成する標示片の例を示す縦断面図である。
【図３】本発明に係る標示片同士の連結を示す縦断面図である。
【図４】本発明に係る標示片への保護部材の取り付けを示す縦断面図である。
【図５】本発明に係る標示板の、実施の一形態を示す側面図である。
【符号の説明】
【００３０】
１    標示片
１２  上取付部
１３  下取付部
２    保護部材
３１  上取付部
３２  下取付部
３３、３４  上鍵状部
３５、３６  下鍵状部
４    ボルト溝
１０  標示板
【図１】
2008291426.tif 000003
【図２】
2008291426.tif 000004
【図３】
2008291426.tif 000005
【図４】
2008291426.tif 000006
【図５】
2008291426.tif 000007